(57)【要約】【課題】  ユーザの所望しない所定のＷｅｂページをＷｅｂブラウザの第二の表示領域に一旦表示しなくても、所望するＷｅｂページを表示すると共に、メニューバーを備えたＷｅｂページを表示して当該メニューバーのコンテンツ実行要求入力部から受付けたコンテンツ実行要求に基づいて、コンテンツを実行することができること。【解決手段】  処理手段は、外部の端末装置から受信したＷｅｂページ識別子から、自ドメイン名２１１を除いた部分を、第二Ｗｅｂページ識別子として抽出する。次に、処理手段は、情報閲覧画面構成ファイルを新規に作成して、情報閲覧画面構成情報２１２を当該情報閲覧画面構成ファイルに格納し、かつ、第一Ｗｅｂページ識別子２１３と、第一表示領域識別子２１４とを関連付けて格納し、かつ、抽出した第二Ｗｅｂページ識別子と、第二表示領域識別子２１５とを関連付けて格納する。【選択図】  図３
2005242772.tif 000002
【特許請求の範囲】
【請求項１】
名前解決システムと、情報提供システムとが通信ネットワークに接続されたコンピュータシステムにおいて、メニューバーを備えたＷｅｂページを外部の端末装置に提供するメニューバー提供方法であって、
前記名前解決システムの記憶手段に、
前記情報提供システムが属するドメイン名である自ドメイン名を格納し、かつ、任意の下位ドメイン名と前記情報提供システムのアドレスとを関連付けて格納した名前解決ファイルを備えると共に、
前記名前解決システムの処理手段が、
（１）外部の端末装置からWebページ識別子に含まれるドメイン名を受信するステップと、
（２）名前解決ファイルを参照して、自ドメイン名を取り出すステップと、
（３）前記受信したドメイン名から、当該取り出した自ドメイン名を除いた部分を下位ドメイン名として抽出するステップと、
（４）名前解決ファイルを参照して、当該抽出した下位ドメイン名に関連付けられた前記情報提供システムのアドレスを取り出すステップと、
（５）取り出した情報提供システムのアドレスを前記外部の端末装置に送信するステップと、を実行すると共に、
前記情報提供システムの記憶手段に、
前記情報提供システムが属するドメインのドメイン名である自ドメイン名と、コンテンツ実行要求入力部を備えたメニューバーを表示するＷｅｂページを識別する第一Ｗｅｂページ識別子と、情報閲覧画面を第一の表示領域と第二の表示領域とに分割する情報閲覧画面構成情報と、前記第一の表示領域を識別する第一表示領域識別子と、前記第二の表示領域を識別する第二表示領域識別子とを格納すると共に、
前記情報提供システムの処理手段が、
（６）前記外部の端末装置からWebページ識別子を受信するステップと、
（７）前記情報提供システムの記憶手段から、自ドメイン名を取り出すステップと、
（８）前記受信したＷｅｂページ識別子から、当該取り出した自ドメイン名を除いた部分を、第二Ｗｅｂページ識別子として抽出するステップと、
（９）前記情報提供システムの記憶手段から、第一Ｗｅｂページ識別子と、情報閲覧画面構成情報と、第一表示領域識別子と、第二表示領域識別子とを取り出すステップと、
（１０）情報閲覧画面構成ファイルを新規に作成して、当該情報閲覧画面構成ファイルに前記取り出した情報閲覧画面構成情報を格納し、かつ、前記取り出した第一Ｗｅｂページ識別子と、前記取り出した第一表示領域識別子とを関連付けて格納し、かつ、前記抽出した第二Ｗｅｂページ識別子と、前記取り出した第二表示領域識別子とを関連付けて格納するステップと、
（１１）当該作成した情報閲覧画面構成ファイルを前記外部の端末装置に送信するステップと、を実行することを特徴としたメニューバー提供方法。
【請求項２】
情報の記憶手段、外部の端末装置との通信手段、及びこれら各手段の動作を制御する処理手段を備えた情報提供システムに用いられる情報閲覧画面構成ファイル作成プログラムであって、
前記記憶手段に、
前記情報提供システムが属するドメインのドメイン名である自ドメイン名と、コンテンツ実行要求入力部を備えたメニューバーを表示するＷｅｂページを識別する第一Ｗｅｂページ識別子と、情報閲覧画面を第一の表示領域と第二の表示領域とに分割する情報閲覧画面構成情報と、前記第一の表示領域を識別する第一表示領域識別子と、前記第二の表示領域を識別する第二表示領域識別子とを格納すると共に、
前記処理手段に、
（１）前記記憶手段から自ドメイン名を取り出すステップと、
（２）外部の端末装置から受信したＷｅｂページ識別子から、当該取り出した自ドメイン名を除いた部分を、第二Ｗｅｂページ識別子として抽出するステップと、
（３）前記記憶手段から、第一Ｗｅｂページ識別子と、情報閲覧画面構成情報と、第一表示領域識別子と、第二表示領域識別子とを取り出すステップと、
（４）情報閲覧画面構成ファイルを新規に作成して、当該情報閲覧画面構成ファイルに前記取り出した情報閲覧画面構成情報を格納し、かつ、前記取り出した第一Ｗｅｂページ識別子と、前記取り出した第一表示領域識別子とを関連付けて格納し、かつ、前記抽出した第二Ｗｅｂページ識別子と、前記取り出した第二表示領域識別子とを関連付けて格納するステップと、
を実行させることを特徴とした情報閲覧画面構成ファイル作成プログラム。
【発明の詳細な説明】
【技術分野】
【０００１】
本発明は新たなＷｅｂページを表示すると共に、情報提供システムが提供するメニューバーを利用する技術に関する。
【背景技術】
【０００２】
本願の出願人は、新たなＷｅｂページを表示すると共に、情報提供システムが提供するメニューバーを利用することができるメニューバープログラムに関する出願をしている（特許文献１参照。）。
【０００３】
図１１は、特許文献１記載の発明を適用した端末装置の処理手段が、情報閲覧画面としてのＷｅｂブラウザに表示する画面の構成図である。端末装置の処理手段は、Ｗｅｂブラウザに標準で組み込まれたツールバーのＵＲＬ入力部７０１から所定のＵＲＬ（Ｕｎｉｆｏｒｍ  Ｒｅｓｏｕｒｃｅ  Ｌｏｃａｔｏｒ）を受付けると共に、キーボードのエンターキー等が押下されたことを契機として、情報閲覧画面構成ファイルの取得要求を情報提供システムとしてのメニューバー提供Ｗｅｂサーバに送信する。その後、端末装置の処理手段は、メニューバー提供Ｗｅｂサーバから受信した情報閲覧画面構成ファイルに基づいて、Ｗｅｂページ識別子入力部７０４と、コンテンツ実行要求入力部７０５とを備えたメニューバーをＷｅｂブラウザの第一の表示領域７０２に表示すると共に、Ｗｅｂブラウザの第二の表示領域７０３に所定のＷｅｂページを表示する。続いて、端末装置の処理手段は、上記メニューバーのＷｅｂページ識別子入力部７０４から所望するＷｅｂページに対応するＷｅｂページ識別子としてＵＲＬを受付けると共に、入力手段から実行要求を受付けることを契機として、Ｗｅｂブラウザの第二の表示領域７０３に所望するＷｅｂページを表示することができる。
【０００４】
しかしながら、上記従来例では、所望するＷｅｂページを表示すると共に、メニューバーを備えたＷｅｂページを表示して当該メニューバーのコンテンツ実行要求入力部７０５から受付けたコンテンツ実行要求に基づいて、コンテンツを実行するためには、端末装置の処理手段が、Ｗｅｂページ識別子入力部７０４と、コンテンツ実行要求入力部７０５とを備えたメニューバーをＷｅｂブラウザの第一の表示領域７０２に表示すると共に、ユーザの所望しない所定のＷｅｂページをＷｅｂブラウザの第二の表示領域７０３に一旦表示しなければならなかった。
【特許文献１】特願２００３−３８６０２８号
【発明の開示】
【発明が解決しようとする課題】
【０００５】
本発明は、かかる従来例の有する不都合を改善し、特に、ユーザの所望しない所定のＷｅｂページをＷｅｂブラウザの第二の表示領域に一旦表示しなくても、所望するＷｅｂページを表示すると共に、メニューバーを備えたＷｅｂページを表示して当該メニューバーのコンテンツ実行要求入力部から受付けたコンテンツ実行要求に基づいて、コンテンツを実行することができることを課題とする。
【課題を解決するための手段】
【０００６】
上記課題を解決するため、本発明では次のような構成を採っている。
【０００７】
請求項１記載の発明は、名前解決システムと、情報提供システムとが通信ネットワークに接続されたコンピュータシステムにおいて、メニューバーを備えたＷｅｂページを外部の端末装置に提供するメニューバー提供方法である。そして、名前解決システムの記憶手段に、情報提供システムが属するドメイン名である自ドメイン名を格納し、かつ、任意の下位ドメイン名と情報提供システムのアドレスとを関連付けて格納した名前解決ファイルを備えている。名前解決システムの処理手段は、外部の端末装置からWebページ識別子に含まれるドメイン名を受信する。続いて、名前解決システムの処理手段は、名前解決ファイルを参照して、自ドメイン名を取り出す。そして、名前解決システムの処理手段は、受信したドメイン名から、当該取り出した自ドメイン名を除いた部分を下位ドメイン名として抽出する。また、名前解決システムの処理手段は、名前解決ファイルを参照して、当該抽出した下位ドメイン名に関連付けられた情報提供システムのアドレスを取り出す。そして、名前解決システムの処理手段は、取り出した情報提供システムのアドレスを外部の端末装置に送信する。一方、情報提供システムの記憶手段に、情報提供システムが属するドメインのドメイン名である自ドメイン名と、コンテンツ実行要求入力部を備えたメニューバーを表示するＷｅｂページを識別する第一Ｗｅｂページ識別子と、情報閲覧画面を第一の表示領域と第二の表示領域とに分割する情報閲覧画面構成情報と、第一の表示領域を識別する第一表示領域識別子と、第二の表示領域を識別する第二表示領域識別子とを格納する。情報提供システムの処理手段は、外部の端末装置からWebページ識別子を受信する。続いて、情報提供システムの処理手段は、情報提供システムの記憶手段から、自ドメイン名を取り出す。そして、情報提供システムの処理手段は、受信したＷｅｂページ識別子から、当該取り出した自ドメイン名を除いた部分を、第二Ｗｅｂページ識別子として抽出する。また、情報提供システムの処理手段は、情報提供システムの記憶手段から、第一Ｗｅｂページ識別子と、情報閲覧画面構成情報と、第一表示領域識別子と、第二表示領域識別子とを取り出す。続いて、情報提供システムの処理手段は、情報閲覧画面構成ファイルを新規に作成して、当該情報閲覧画面構成ファイルに取り出した情報閲覧画面構成情報を格納し、かつ、取り出した第一Ｗｅｂページ識別子と、取り出した第一表示領域識別子とを関連付けて格納し、かつ、抽出した第二Ｗｅｂページ識別子と、取り出した第二表示領域識別子とを関連付けて格納する。そして、情報提供システムの処理手段は、当該作成した情報閲覧画面構成ファイルを外部の端末装置に送信する。
【０００８】
請求項２記載の発明は、情報の記憶手段、外部の端末装置との通信手段、及びこれら各手段の動作を制御する処理手段を備えた情報提供システムに用いられる情報閲覧画面構成ファイル作成プログラムである。そして、記憶手段に、情報提供システムが属するドメインのドメイン名である自ドメイン名と、コンテンツ実行要求入力部を備えたメニューバーを表示するＷｅｂページを識別する第一Ｗｅｂページ識別子と、情報閲覧画面を第一の表示領域と第二の表示領域とに分割する情報閲覧画面構成情報と、第一の表示領域を識別する第一表示領域識別子と、第二の表示領域を識別する第二表示領域識別子とを格納する。一方、処理手段は、記憶手段から自ドメイン名を取り出す。そして、処理手段は、外部の端末装置から受信したＷｅｂページ識別子から、当該取り出した自ドメイン名を除いた部分を、第二Ｗｅｂページ識別子として抽出する。続いて、処理手段は、記憶手段から、第一Ｗｅｂページ識別子と、情報閲覧画面構成情報と、第一表示領域識別子と、第二表示領域識別子とを取り出す。次に、処理手段は、情報閲覧画面構成ファイルを新規に作成して、当該情報閲覧画面構成ファイルに取り出した情報閲覧画面構成情報を格納し、かつ、取り出した第一Ｗｅｂページ識別子と、取り出した第一表示領域識別子とを関連付けて格納し、かつ、抽出した第二Ｗｅｂページ識別子と、取り出した第二表示領域識別子とを関連付けて格納する。
【発明の効果】
【０００９】
情報提供システムの処理手段が、端末装置から受信したWebページ識別子から、自ドメイン名を除いた部分をユーザが閲覧を所望するWebページに対応する第二Ｗｅｂページ識別子として抽出し、当該第二Ｗｅｂページ識別子と、第二表示領域識別子とを関連づけて情報閲覧画面構成ファイルに格納すると共に、端末装置の処理手段は、当該情報閲覧画面構成ファイルを受信して、第二Webページ識別子に対応するWebページを情報閲覧画面の第二の表示領域に表示するので、端末装置の処理手段は、ユーザの所望しない所定のＷｅｂページをＷｅｂブラウザの第二の表示領域に一旦表示しなくても、所望するＷｅｂページを表示すると共に、メニューバーを備えたＷｅｂページを表示して当該メニューバーのコンテンツ実行要求入力部から受付けたコンテンツ実行要求に基づいて、コンテンツを実行することができる。
【発明を実施するための最良の形態】
【００１０】
以下、図面を参照しながら、本発明の実施形態について説明する。
【００１１】
図１は、本実施形態のシステムの全体構成を示すブロック図である。
【００１２】
通信ネットワークとしてのインターネット５００に端末装置１００と、情報提供システムとしてのメニューバー提供Ｗｅｂサーバ２００と、名前解決システムとしてのＤＮＳ３００（Ｄｏｍａｉｎ  Ｎａｍｅ  Ｓｙｓｔｅｍ）と、外部の情報提供システムとしての外部Ｗｅｂサーバ４００とが接続されている。
【００１３】
メニューバー提供Ｗｅｂサーバ２００は、端末装置１００からの要求に基づいて、メニューバーを備えたＷｅｂページの表示制御情報を、要求のあった端末装置１００に送信するようになっている。また、端末装置１００は、メニューバー提供Ｗｅｂサーバ２００から受信した表示制御情報に基づいて、メニューバーを備えたＷｅｂページを表示するようになっている。さらに、ＤＮＳ３００は、当該ＤＮＳ３００が管理するドメインより下位のドメインに対して、そのドメイン名をメニューバー提供Ｗｅｂサーバ２００のＩＰアドレスに変換するようになっている。一方、外部Ｗｅｂサーバ４００は、端末装置１００からの要求に基づいて、所定のＷｅｂページの表示制御情報を、要求のあった端末装置１００に送信するようになっている。ここで、外部Ｗｅｂサーバ４００は、端末装置１００及びメニューバー提供Ｗｅｂサーバ２００の利用者以外の第三者がコンテンツ等を提供するために、インターネット５００に接続したものである。また、本実施形態では、複数の外部Ｗｅｂサーバ４００がインターネット５００に接続されているが、これらの外部Ｗｅｂサーバ４００は、ＣＰＵ等の処理手段、ＨＤＤ、ＲＡＭ、ＲＯＭ等の記憶手段、及びＮＩＣ等の通信手段を備えた一般的な構成を採っており、記憶手段に所定のＷｅｂページの表示制御情報を格納している。
【００１４】
図２は、端末装置１００として一般的なＰＣ（Ｐｅｒｓｏｎａｌ  Ｃｏｍｐｕｔｅｒ）の構成図である。バス１０１に対し、入力手段としてのキーボード１０６及びマウス１０７、表示手段としてのディスプレイ１０８、処理手段としてのＣＰＵ１０２、記憶手段としてのＲＡＭ１０３、ＲＯＭ１０４、及びＨＤＤ１０９（Ｈａｒｄ  Ｄｉｓｋ  Ｄｒｉｖｅ）、並びに通信手段としてのＮＩＣ１０５（Ｎｅｔｗｏｒｋ  Ｉｎｔｅｒｆａｃｅ  Ｃａｒｄ）が接続されている。Ｉ／Ｆはバス１０１と各種デバイスとのインターフェースを示している。ＨＤＤ１０９には、情報閲覧プログラムとしてのＷｅｂブラウザ１１０等が記憶されている。端末装置１００のＣＰＵ１０２は、ＨＤＤ１０９に記憶されているＷｅｂブラウザ１１０をＲＡＭ１０３に読み出して実行することにより、メニューバーを備えたＷｅｂページの表示制御情報を、メニューバー提供Ｗｅｂサーバ２００から受信して当該Ｗｅｂページを表示するようになっている。
【００１５】
図３は、情報提供システムとしてのメニューバー提供Ｗｅｂサーバ２００の構成図である。バス２０１に対し、処理手段としてのＣＰＵ２０２、記憶手段としてのＲＡＭ２０３、ＲＯＭ２０４、及びＨＤＤ２０６（Ｈａｒｄ  Ｄｉｓｋ  Ｄｒｉｖｅ）、並びに通信手段としてのＮＩＣ２０５（Ｎｅｔｗｏｒｋ  Ｉｎｔｅｒｆａｃｅ  Ｃａｒｄ）が接続されている。Ｉ／Ｆはバスと各種デバイスとのインターフェースを示している。ＨＤＤ２０６には、ＨＴＴＰサーバプログラム２０７、情報閲覧画面構成ファイル２０８、第一のＷｅｂページの表示制御情報２０９、情報閲覧画面構成ファイル作成プログラム２１０、自ドメイン名２１１が記憶されている。また、ＨＤＤ２０６には、Ｗｅｂブラウザを第一の表示領域と第二の表示領域とに分割する情報閲覧画面構成情報２１２、第一のＷｅｂページを識別する第一Ｗｅｂページ識別子２１３、Ｗｅｂブラウザの第一の表示領域を識別する第一表示領域識別子２１４、及びＷｅｂブラウザの第二の表示領域を識別する第二表示領域識別子２１５が記憶されている。
【００１６】
ＨＴＴＰサーバプログラム２０７としては、ａｐａｃｈｅ（登録商標）、ＩＩＳ（登録商標）等が該当する。ＣＰＵ２０２は、ＨＤＤ２０６に記憶されたＨＴＴＰサーバプログラム２０７をＲＡＭ２０３に読み出して実行することにより、端末装置１００のＷｅｂブラウザを介して送信されたＵＲＬ（Ｕｎｉｆｏｒｍ  Ｒｅｓｏｕｒｃｅ  Ｌｏｃａｔｏｒ）に基づいて、情報閲覧画面構成ファイル２０８、及び第一のＷｅｂページの表示制御情報２０９等を端末装置１００に送信する機能を提供する。また、ＣＰＵ２０２は、ＨＤＤ２０６に記憶された情報閲覧画面構成ファイル作成プログラム２１０をＲＡＭ２０３に読み出して実行することにより、ＨＤＤ２０６に記憶された情報閲覧画面構成情報２１２等に基づいて、情報閲覧画面構成ファイル２０８を作成する機能を提供する。
【００１７】
ここで、上記情報閲覧画面構成ファイル２０８は、情報閲覧画面としてのＷｅｂブラウザの表示領域を、第一の表示領域と第二の表示領域とに分割する情報等を格納している。また、第一のＷｅｂページの表示制御情報２０９は、メニューバーを備えたＷｅｂページの表示制御情報である。情報閲覧画面構成ファイル２０８としては、例えば、フレームを定義するＨＴＭＬファイル等が該当する。また、第一のＷｅｂページの表示制御情報２０９は、メニューバーを表示する処理を端末装置１００のＣＰＵ１０２に実行させるためのプログラムであるメニューバープログラムを含んでいる。本実施形態では、当該メニューバープログラムは、Ｊａｖａ（登録商標）Ｓｃｒｉｐｔで記述されているが、他の言語で記述されたものであってもよい。また、自ドメイン名とは、メニューバー提供Ｗｅｂサーバ２００が属するドメインのドメイン名である。本実施形態では、自ドメイン名として、「．ａｌｇｅｂ．ｃｏｍ」がＨＤＤ２０６に格納されている。
【００１８】
図４は、メニューバー提供Ｗｅｂサーバ２００のＨＤＤ２０６に記憶されている情報閲覧画面構成ファイル２０８の構造図である。当該情報閲覧画面構成ファイル２０８は、情報閲覧画面を第一の表示領域と第二の表示領域とに分割する情報閲覧画面構成情報を格納している。情報閲覧画面構成情報としては、ＨＴＭＬファイルの＜ＦＲＡＭＳＥＴ＞タグが該当する。また、当該情報閲覧画面構成ファイル２０８は、第一の表示領域を識別する第一表示領域識別子と、第一のＷｅｂページを識別する第一Ｗｅｂページ識別子とを関連付けて格納している。さらに、当該情報閲覧画面構成ファイル２０８は、第二の表示領域を識別する第二表示領域識別子と、第二のＷｅｂページを識別する第二Ｗｅｂページ識別子とを関連付けて格納している。第一表示領域識別子及び第二表示領域識別子としては、例えば、ＨＴＭＬファイルの＜ＦＲＡＭＥ＞タグで指定されるフレーム名が該当し、第一Ｗｅｂページ識別子及び第二Ｗｅｂページ識別子としては、ＨＴＭＬファイルの＜ＦＲＡＭＥ＞タグで指定されるＵＲＬが該当する。ここで、情報閲覧画面構成ファイル２０８は、メニューバー提供Ｗｅｂサーバ２００のＣＰＵ２０２が作成するファイルであり、詳細については後述する。
【００１９】
図５は、名前解決システムとしてのＤＮＳ３００の構成図である。バス３０１に対し、処理手段としてのＣＰＵ３０２、記憶手段としてのＲＡＭ３０３、ＲＯＭ３０４、及びＨＤＤ３０６（Ｈａｒｄ  Ｄｉｓｋ  Ｄｒｉｖｅ）、並びに通信手段としてのＮＩＣ３０５（Ｎｅｔｗｏｒｋ  Ｉｎｔｅｒｆａｃｅ  Ｃａｒｄ）が接続されている。Ｉ／Ｆはバスと各種デバイスとのインターフェースを示している。ＨＤＤ３０６には、ＤＮＳサーバプログラム３０７、名前解決ファイル３０８等が記憶されている。ＤＮＳサーバプログラム３０７としては、ＢＩＮＤ（登録商標）等が該当する。ＣＰＵ３０２は、ＨＤＤ３０６に記憶されたＤＮＳサーバプログラム３０７をＲＡＭ３０３に読み出して実行することにより、端末装置１００のＷｅｂブラウザを介して送信されたＦＱＤＮ（Ｆｕｌｌｙ  Ｑｕａｌｉｆｉｅｄ  Ｄｏｍａｉｎ  Ｎａｍｅ）に対応するＩＰアドレスを端末装置１００に送信する機能を提供する。
【００２０】
図６は、ＤＮＳ３００のＨＤＤ３０６に記憶されている名前解決ファイル３０８の構造図である。当該名前解決ファイル３０８は、メニューバー提供Ｗｅｂサーバ２００が属するドメインのドメイン名を、自ドメイン名として格納している。本実施形態では、自ドメイン名として、「．ａｌｇｅｂ．ｃｏｍ」が名前解決ファイル３０８に格納されている。また、名前解決ファイル３０８は、メニューバー提供Ｗｅｂサーバ２００が属するドメインより下位のドメインのドメイン名を表す下位ドメイン名と、メニューバー提供Ｗｅｂサーバ２００に対応するＩＰアドレスとを関連付けて格納している。ここで、下位ドメイン名は、任意の文字列を表すワイルドカードとしての「＊」を設定している。
【００２１】
次に、本実施形態のシステムの動作について説明する。
【００２２】
図７及び図８は、端末装置１００、メニューバー提供Ｗｅｂサーバ２００、ＤＮＳ３００、及び外部Ｗｅｂサーバ４００のフローチャートである。
【００２３】
ここで、次のステップＳ５からＳ１０までの処理は、端末装置１００のＣＰＵ１０２が実行するＷｅｂブラウザのプロセスにより実装されている。
【００２４】
端末装置１００のＣＰＵ１０２は、ＷｅｂブラウザのＵＲＬ入力部７０１において、所定のＵＲＬを受付ける（Ｓ５）。所定のＵＲＬとは、所望するＷｅｂページのＵＲＬの後ろに名前解決ファイル３０８に格納されている自ドメイン名を付加したものである。例えば、ユーザが「ｈｔｔｐ：／／ｗｗｗ．ｖｉｓｉｏｎａｒｔｓ．ｃｏ．ｊｐ」というＷｅｂページ識別子に対応するＷｅｂページの閲覧を所望する場合には、ＷｅｂブラウザのＵＲＬ入力部７０１において、キーボードから「ｈｔｔｐ：／／ｗｗｗ．ｖｉｓｉｏｎａｒｔｓ．ｃｏ．ｊｐ．ａｌｇｅｂ．ｃｏｍ」を入力する。
【００２５】
続いて、端末装置１００のＣＰＵ１０２は、キーボードのエンターキー等が押下されたことを契機として、次の処理を行う。端末装置１００のＣＰＵ１０２は、受付けた所定のＵＲＬから、プロトコルを示す「ｈｔｔｐ：／／」の部分を除いたＦＱＤＮ（Ｆｕｌｌｙ  Ｑｕａｌｉｆｉｅｄ  Ｄｏｍａｉｎ  Ｎａｍｅ）を抽出する。例えば、ＵＲＬ入力部７０１において、「ｈｔｔｐ：／／ｗｗｗ．ｖｉｓｉｏｎａｒｔｓ．ｃｏ．ｊｐ．ａｌｇｅｂ．ｃｏｍ」を受付けた場合には、端末装置１００のＣＰＵ１０２は、「ｗｗｗ．ｖｉｓｉｏｎａｒｔｓ．ｃｏ．ｊｐ．ａｌｇｅｂ．ｃｏｍ」をＦＱＤＮとして抽出する。そして、端末装置１００のＣＰＵ１０２は、抽出したＦＱＤＮに対応するＩＰアドレスの取得要求（名前解決要求）及び抽出したＦＱＤＮをＤＮＳ３００に送信する（Ｓ１０）。
【００２６】
ここで、次のステップＳ１３からＳ１５までの処理は、ＤＮＳ３００のＣＰＵ３０２が実行するＤＮＳサーバプログラム３０７のプロセスにより実装されている。
【００２７】
一方、名前解決要求を受信したＤＮＳ３００のＣＰＵ３０２は、名前解決ファイル３０８を参照して、自ドメイン名を取り出す（Ｓ１３）。本実施形態では、ＤＮＳ３００のＣＰＵ３０２は、自ドメイン名として「．ａｌｇｅｂ．ｃｏｍ」を取り出す。続いて、ＤＮＳ３００のＣＰＵ３０２は、受信したＦＱＤＮから当該取り出した自ドメイン名を除いた部分を下位ドメイン名として抽出する。そして、ＤＮＳ３００のＣＰＵ３０２は、名前解決ファイル３０８を参照して、抽出した下位ドメイン名に関連付けられたＩＰアドレスを取り出す。ここで、名前解決ファイル３０８には、下位ドメイン名として任意の文字列を表すワイルドカードとしての「＊」と、メニューバー提供Ｗｅｂサーバ２００のＩＰアドレスとが関連付けて格納されているので、ＤＮＳ３００のＣＰＵ３０２は、任意の下位ドメイン名に対して、必ずメニューバー提供Ｗｅｂサーバ２００のＩＰアドレスを取り出す。続いて、ＤＮＳ３００のＣＰＵ３０２は、取り出したＩＰアドレスを、名前解決要求のあった端末装置１００に送信する（Ｓ１５）。
【００２８】
一方、端末装置１００のＣＰＵ１０２は、Ｗｅｂブラウザのプロセスにより、ＷｅｂブラウザのＵＲＬ入力部７０１から受付けたＵＲＬに対応する情報閲覧画面構成ファイル２０８の取得要求及び当該ＵＲＬを、受信したＩＰアドレスに対応するメニューバー提供Ｗｅｂサーバ２００に送信する（Ｓ２０）。
【００２９】
そして、メニューバー提供Ｗｅｂサーバ２００のＣＰＵ２０２は、ＨＴＴＰサーバプログラム２０７のプロセスにより、情報閲覧画面構成ファイル２０８の取得要求及びＵＲＬを受信する。
【００３０】
ここで、次のステップＳ２３からＳ３３までの処理は、メニューバー提供Ｗｅｂサーバ２００のＣＰＵ２０２が実行する情報閲覧画面構成ファイル作成プログラム２１０のプロセスにより実装されている。
【００３１】
続いて、メニューバー提供Ｗｅｂサーバ２００のＣＰＵ２０２は、ＨＤＤ２０６から自ドメイン名を取り出す（Ｓ２３）。そして、メニューバー提供Ｗｅｂサーバ２００のＣＰＵ２０２は、受信したＵＲＬから自ドメイン名を除いた部分を第二Ｗｅｂページ識別子として抽出する（Ｓ２５）。ここで、受信したＵＲＬは、ユーザが所望するＷｅｂページのＷｅｂページ識別子の後ろに自ドメイン名を付加したものであるから、当該第二Ｗｅｂページ識別子は、ユーザが所望するＷｅｂページのＷｅｂページ識別子にほかならない。
【００３２】
続いて、メニューバー提供Ｗｅｂサーバ２００のＣＰＵ２０２は、次のようにして情報閲覧画面構成ファイル２０８を作成する（Ｓ３０）。メニューバー提供Ｗｅｂサーバ２００のＣＰＵ２０２は、受信したＵＲＬに対応する情報閲覧画面構成ファイル２０８を新規ファイルとして作成する。そして、メニューバー提供Ｗｅｂサーバ２００のＣＰＵ２０２は、ＨＤＤ２０６から情報閲覧画面構成情報を取り出して情報閲覧画面構成ファイル２０８に格納する。続いて、メニューバー提供Ｗｅｂサーバ２００のＣＰＵ２０２は、ＨＤＤ２０６から第一表示領域識別子と、第一Ｗｅｂページ識別子とを取り出すと共に、当該第一表示領域識別子と、第一Ｗｅｂページ識別子とを関連付けて情報閲覧画面構成ファイル２０８に格納する。さらに、メニューバー提供Ｗｅｂサーバ２００のＣＰＵ２０２は、ＨＤＤ２０６から第二表示領域識別子を取り出すと共に、当該第二表示領域識別子と、受信したＵＲＬから抽出した第二Ｗｅｂページ識別子とを関連付けて情報閲覧画面構成ファイル２０８に格納する（Ｓ３３）。
【００３３】
図９は、情報閲覧画面構成ファイル２０８としてのＨＴＭＬファイルの一例を示す図である。当該ＨＴＭＬファイルは、情報閲覧画面構成情報として「＜ＦＲＡＭＥＳＥＴ  ｒｏｗｓ＝３０％，７０％＞」を格納している（符号６０１）。端末装置１００のＣＰＵ１０２は、当該情報閲覧画面構成情報に基づいて、情報閲覧画面としてのＷｅｂブラウザの表示領域を分割する。また、このＨＴＭＬファイルは、第一表示領域識別子としての「ｆｒａｍｅ１」と、第一Ｗｅｂページ識別子としての「ｈｔｔｐ：／／ｗｗｗ．ａｌｇｅｂ．ｃｏｍ／ｍｅｎｕ．ｈｔｍ」とを関連付けて格納すると共に、第二表示領域識別子としての「ｆｒａｍｅ２」と、第二Ｗｅｂページ識別子としての「ｈｔｔｐ：／／ｗｗｗ．ｖｉｓｉｏｎａｒｔｓ．ｃｏ．ｊｐ」とを関連付けて格納している（符号６０２）。
【００３４】
次に、メニューバー提供Ｗｅｂサーバ２００のＣＰＵ２０２は、ＨＴＴＰサーバプログラム２０７のプロセスにより、作成した情報閲覧画面構成ファイル２０８を、情報閲覧画面構成ファイル２０８の取得要求をした端末装置１００に送信する（Ｓ３５）。
【００３５】
ここで、次のステップＳ３７からＳ７０（Ｓ５０、Ｓ５５、及びＳ６５を除く）までの処理は、端末装置１００のＣＰＵ１０２が実行するＷｅｂブラウザのプロセスにより実装されている。
【００３６】
端末装置１００のＣＰＵ１０２は、情報閲覧画面構成ファイル２０８を受信してＨＤＤ１０９に格納する（Ｓ３７）。続いて、端末装置１００のＣＰＵ１０２は、当該情報閲覧画面構成ファイル２０８を参照して、情報閲覧画面構成情報を取り出す。そして、端末装置１００のＣＰＵ１０２は、当該情報閲覧画面構成情報に基づいて、情報閲覧画面を第一の表示領域と、第二の表示領域とに分割する（Ｓ４０）。
【００３７】
次に、端末装置１００のＣＰＵ１０２は、ＨＤＤ１０９に格納した情報閲覧画面構成ファイル２０８を参照して、第一Ｗｅｂページ識別子を取り出す。続いて、端末装置１００のＣＰＵ１０２は、取り出した第一Ｗｅｂページ識別子に対応する第一のＷｅｂページの取得要求を、メニューバー提供Ｗｅｂサーバ２００に送信する（Ｓ４５）。メニューバー提供Ｗｅｂサーバ２００のＣＰＵ２０２は、ＨＴＴＰサーバプログラム２０７のプロセスにより、受信した第一のＷｅｂページの取得要求に基づいて、第一のＷｅｂページの表示制御情報２０９をＨＤＤ２０６から取り出して端末装置１００に送信する（Ｓ５０）。
【００３８】
一方、端末装置１００のＣＰＵ１０２は、第一のＷｅｂページの表示制御情報２０９を受信してＨＤＤ１０９に格納する。そして、端末装置１００のＣＰＵ１０２は、情報閲覧画面構成ファイル２０８を参照して、第一Ｗｅｂページ識別子に関連付けられた第一表示領域識別子を取り出す。そして、端末装置１００のＣＰＵ１０２は、ＨＤＤ１０９に格納した第一のＷｅｂページの表示制御情報２０９に含まれるメニューバープログラムのプロセスにより、コンテンツ実行要求入力部を備えたメニューバーを、第一表示領域識別子に対応する第一の表示領域に表示する（Ｓ５５）。
【００３９】
次に、端末装置１００のＣＰＵ１０２は、ＨＤＤ１０９に格納した情報閲覧画面構成ファイル２０８を参照して、第二Ｗｅｂページ識別子を取り出す。続いて、端末装置１００のＣＰＵ１０２は、取り出した第二Ｗｅｂページ識別子に対応する第二のＷｅｂページの取得要求を、外部Ｗｅｂサーバ４００に送信する（Ｓ６０）。外部Ｗｅｂサーバ４００のＣＰＵは、ＨＴＴＰサーバプログラムのプロセスにより、受信したＷｅｂページの取得要求に基づいて、第二のＷｅｂページの表示制御情報をＨＤＤから取り出して端末装置１００に送信する（Ｓ６５）。
【００４０】
一方、端末装置１００のＣＰＵ１０２は、第二のＷｅｂページの表示制御情報を受信してＨＤＤ１０９に格納する。そして、端末装置１００のＣＰＵ１０２は、ＨＤＤ１０９に格納した情報閲覧画面構成ファイル２０８を参照して、当該第二Ｗｅｂページ識別子に関連付けられた第二表示領域識別子を取り出す。そして、端末装置１００のＣＰＵ１０２は、ＨＤＤ１０９に格納した第二のＷｅｂページの表示制御情報に基づいて、第二のＷｅｂページを、第二表示領域識別子に対応する第二の表示領域に表示する（Ｓ７０）。このようにして、端末装置１００のＣＰＵ１０２は、ユーザの所望するＷｅｂページを第二の表示領域に表示する。
【００４１】
図１０は、第一の表示領域にメニューバーを表示し、かつ、第二の表示領域にユーザの所望するＷｅｂページを表示したＷｅｂブラウザの画面の構成図である。Ｗｅｂブラウザは、標準で組み込まれているツールバーにＵＲＬ入力部７０１を備えている。本実施形態では、分割された表示領域のうち、上方に位置するものを第一の表示領域７０２、下方に位置するものを第二の表示領域７０３としている。また、メニューバーは、コンテンツ実行要求入力部７０５としてのメニューボタンを備えている。
【００４２】
ここで、次のステップＳ７５からＳ８０までの処理は、端末装置１００のＣＰＵ１０２が実行するメニューバープログラムのプロセスにより実装されている。
【００４３】
端末装置１００のＣＰＵ１０２は、Ｗｅｂブラウザの第一の表示領域に表示されたメニューバーのメニューボタンがマウス１０７により押下されることを契機として、当該ボタンに関連付けられたコンテンツの実行要求を受付ける（Ｓ７５）。そして、端末装置１００のＣＰＵ１０２は、当該実行要求に基づいて、メニューバー提供Ｗｅｂサーバ２００又は外部Ｗｅｂサーバ４００のＨＤＤに格納された所定のコンテンツを実行する（Ｓ８０）。
【００４４】
以上により、ユーザの所望しない所定のＷｅｂページをＷｅｂブラウザの第二の表示領域に一旦表示しなくても、所望するＷｅｂページを表示すると共に、メニューバーを備えたＷｅｂページを表示して当該メニューバーのコンテンツ実行要求入力部から受付けたコンテンツ実行要求に基づいて、コンテンツを実行することができる。また、ユーザの所望しない所定のＷｅｂページを一旦表示する必要がないので、ユーザは従来のシステムよりもすばやく所望するＷｅｂページを閲覧することができる。
【図面の簡単な説明】
【００４５】
【図１】本実施形態のシステムの全体構成を示すブロック図である。
【図２】端末装置の構成図である。
【図３】メニューバー提供Ｗｅｂサーバの構成図である。
【図４】情報閲覧画面構成ファイルの構造図である。
【図５】ＤＮＳの構成図である。
【図６】名前解決ファイルの構造図である。
【図７】端末装置、メニューバー提供Ｗｅｂサーバ、ＤＮＳ、及び外部Ｗｅｂサーバのフローチャートである。
【図８】端末装置、メニューバー提供Ｗｅｂサーバ、ＤＮＳ、及び外部Ｗｅｂサーバのフローチャートである。
【図９】ＨＴＭＬファイルの一例を示す図である。
【図１０】Ｗｅｂブラウザに表示する画面の構成図である。
【図１１】Ｗｅｂブラウザに表示する従来の画面の構成図である。
【符号の説明】
【００４６】
１００  端末装置
１０１  端末装置のバス
１０２  端末装置のＣＰＵ（処理手段）
１０３  端末装置のＲＡＭ（記憶手段）
１０４  端末装置のＲＯＭ（記憶手段）
１０５  端末装置のＮＩＣ（通信手段）
１０６  端末装置のキーボード（入力手段）
１０７  端末装置のマウス（入力手段）
１０８  端末装置のディスプレイ（表示手段）
１０９  端末装置のＨＤＤ（記憶手段）
１１０  Ｗｅｂブラウザ（情報閲覧プログラム）
２００  メニューバー提供Ｗｅｂサーバ（情報提供システム）
２０１  メニューバー提供Ｗｅｂサーバのバス
２０２  メニューバー提供ＷｅｂサーバのＣＰＵ（処理手段）
２０３  メニューバー提供ＷｅｂサーバのＲＡＭ（記憶手段）
２０４  メニューバー提供ＷｅｂサーバのＲＯＭ（記憶手段）
２０５  メニューバー提供ＷｅｂサーバのＮＩＣ（通信手段）
２０６  メニューバー提供ＷｅｂサーバのＨＤＤ（記憶手段）
２０７  ＨＴＴＰサーバプログラム
２０８  情報閲覧画面構成ファイル
２０９  第一のＷｅｂページの表示制御情報
２１０  情報閲覧画面構成ファイル作成プログラム
２１１  自ドメイン名
２１２  情報閲覧画面構成情報
２１３  第一Webページ識別子
２１４  第一表示領域識別子
２１５  第二表示領域識別子
３００  ＤＮＳ（名前解決システム）
３０１  ＤＮＳのバス
３０２  ＤＮＳのＣＰＵ（処理手段）
３０３  ＤＮＳのＲＡＭ（記憶手段）
３０４  ＤＮＳのＲＯＭ（記憶手段）
３０５  ＤＮＳのＮＩＣ（通信手段）
３０６  ＤＮＳのＨＤＤ（記憶手段）
４００  外部Ｗｅｂサーバ（外部の情報提供システム）
５００  インターネット
６０１  情報閲覧画面構成情報
７０１  ＷｅｂブラウザのＵＲＬ入力部（Ｗｅｂページ識別子入力部）
７０２  Ｗｅｂブラウザの第一の表示領域
７０３  Ｗｅｂブラウザの第二の表示領域
７０４  Ｗｅｂページ識別子入力部
７０５  コンテンツ実行要求入力部
【図１】
2005242772.tif 000003
【図２】
2005242772.tif 000004
【図３】
2005242772.tif 000005
【図４】
2005242772.tif 000006
【図５】
2005242772.tif 000007
【図６】
2005242772.tif 000008
【図７】
2005242772.tif 000009
【図８】
2005242772.tif 000010
【図９】
2005242772.tif 000011
【図１０】
2005242772.tif 000012
【図１１】
2005242772.tif 000013